(57)【要約】【課題】カメラ本体側がどんな撮像レンズ系が装着されているかを認識できないと、カメラ機能の制御が適正にできないという不都合を解決するためのカメラ装置やアダプタの構成を新たに提案するとともに、特に従来のものより高信頼性のアダプタ等を提供する。【解決手段】光学系部材を装着するためにカメラ本体が備えるカメラ側マウント部に装着可能なアダプタであって、先端側には、光学系部材が装着可能な先端側マウント部を有し、前記先端側マウント部に装着された光学系部材にカメラ側に突出形成された突出部の当該光学系部材の種類毎に固有の突出量を検出する検出手段を備え、前記カメラ側マウント部に接続される基端側マウント部には、前記検出された突出量に対応づけた信号を脱着情報として送出する送出手段とを有する。【選択図】図２
2007079362.tif 000002
【特許請求の範囲】
【請求項１】
光学系部材を装着するためにカメラ本体が備えるカメラ側マウント部に装着可能なアダプタであって、
先端側には、光学系部材が装着可能な先端側マウント部を有し、
前記先端側マウント部に装着された光学系部材にカメラ側に突出形成された突出部の当該光学系部材の種類毎に固有の突出量を検出する検出手段を備え、
前記カメラ側マウント部に接続される基端側マウント部には、前記検出された突出量に対応づけた信号を脱着情報として送出する送出手段を有することを特徴とするカメラ装置用のアダプタ。
【請求項２】
前記検出手段は、前記光学系部材の突出量に応じて変位するスライド板と、このスライド板の側面に対面して配設され変位するスライド板の変位量に応じて順に動作し前記脱着情報を生成する２つ以上のスイッチとを含み構成されることを特徴とする請求項１に記載のアダプタ。
【請求項３】
前記アダプタの内壁に中央部で軸支された長尺板状のレバーであって、一端が前記光学系部材の突出部先端に当接し、他端が前記スライド板に係合したレバーと、
前記スライド板をアダプタ先端側に向けて付勢する付勢手段と、を有することを特徴とする請求項２に記載のアダプタ。
【請求項４】
前記送出手段は、前記カメラ側マウント部に設けられる電気接点に対応させて、前記基端側マウント部に設けられ前記複数のスイッチに接続された電気接点であることを特徴とする請求項２に記載のアダプタ。
【請求項５】
通常撮影時に使用するレンズ部とは別の光学系部材が更に装着可能なカメラ側マウント部を備えたカメラ装置であって、
前記カメラ側マウント部に装着された光学系部材にカメラ側に突出形成された突出部の当該光学系部材の種類毎に固有の突出量を検出する検出手段を有し、
前記検出された突出量に対応して決まる光学系部材の光学特性に応じた脱着情報に基づいてカメラ機能の制御を最適化することを特徴とするカメラ装置。
【請求項６】
前記検出手段は、前記光学系部材の突出量に応じて変位するスライド板と、このスライド板の側面に対面して配設され変位するスライド板の変位量に応じて順に動作し前記脱着情報を生成する２つ以上のスイッチとを含み構成されることを特徴とする請求項５に記載のカメラ装置。
【請求項７】
カメラ装置に中央部で軸支された長尺板状のレバーであって、一端が前記光学系部材の突出部先端に当接し、他端が前記スライド板に係合したレバーと、
前記スライド板をカメラ装置前方に向けて付勢する付勢手段と、を有することを特徴とする請求項６に記載のカメラ装置。
【請求項８】
カメラ本体側に伝達された前記別光学系部材の脱着情報を使用して、再生/撮影画面の表示中に、別光学系部材が装着されているか否かを表示することを特徴とする請求項５〜７のいずれか１項に記載のカメラ装置。
【請求項９】
カメラ本体側に伝達された前記別光学系部材の脱着情報を、撮影画像のピント位置の補正情報として使用して、最適なピント画像にすることを特徴とする請求項５〜７のいずれか１項に記載のカメラ装置。
【請求項１０】
カメラ本体側に伝達された前記別光学系部材の脱着情報を、撮影画像の測距機能を作動させるか、作動させないかの判断基準情報として使用することを特徴とする請求項５〜７のいずれか１項に記載のカメラ装置。
【請求項１１】
カメラ本体側に伝達された前記別光学系部材の脱着情報を、自動露出制御情報として使用して、最適露出画像にすることを特徴とする請求項５〜７のいずれか１項に記載のカメラ装置。
【請求項１２】
カメラ本体側に伝達された前記別光学系部材の脱着情報を、自動露出制御情報として使用して、最適露出画像にする脱着情報を、外付けファインダー装着時の視野範囲の設定情報として使用し、外付けファインダー使用時に適切な撮影視野範囲を指示することを特徴とする請求項５〜７のいずれか１項に記載のカメラ装置。
【請求項１３】
カメラ本体側に伝達された前記別光学系部材の脱着情報を、ストロボ発光時の制御をするにあたり、最適発光制御情報として使用することを特徴とする請求項５〜７のいずれか１項に記載のカメラ装置。
【請求項１４】
カメラ本体側に伝達された前記別光学系部材の脱着情報を、手ぶれ防止機能の制御をするにあたり使用することを特徴とする請求項５〜７のいずれか１項に記載のカメラ装置。
【発明の詳細な説明】
【技術分野】
【０００１】
本発明は、撮影機能を備えている、画像撮影装置、カメラ付携帯電話等のカメラ装置およびカメラ装置用アダプタに関する。
【背景技術】
【０００２】
カメラ装置には、撮影を容易にするため各種の制御機能が設けられたものがある。例えば、自動合焦制御機能を有するものでは、そのカメラに設けられた測距センサから得られる被写体までの距離を表わす信号に基づいて撮影レンズの位置調節を行う。
【０００３】
レンズ交換が可能なもの、或いは固定的なレンズ系に更に別な光学系を付加して機能拡張することが可能なカメラ装置においては、光学系変換用アダプタを装着すると、カメラに新たな撮像光学系が形成されるが、この新たに形成される撮像光学系の光学的特性は装着される光学系変換用アダプタに設けられている光学系に依存する。このため、カメラ本体側がどんな撮像レンズ系が装着されているかを認識できないと、カメラ機能の制御に支障がでる。
【０００４】
いくつか例を挙げると、第１にカメラ本体のレンズに、別光学系を付加すると、装着されたコンバータの有無、種類により全体の光学系が結像するピント位置がカメラ本体のレンズ単独に比べて異なるが、カメラ本体はその補正をすることができなくなる。第２に、被写体の距離測定のための測距部開口が、ワイドコンバータやテレコンバータを装着した時に覆われて機能できなくなる場合には、測距機能を働かせなくする必要がありこの切換のために必要となる。第３に、カメラ本体に外付けファインダーを装着する場合に、ワイドコンバータやテレコンバータを装着した時に外付けファインダーで見える画角を適正に変える必要が生じるのでその切換のために必要となる。第４に、各コンバータのレンズの明るさ（Ｆナンバー）が大きく異なる場合、コンバータの有無及び種類によりカメラ本体１のＡＥ制御を最適化する必要が出てくる。
【０００５】
特許文献１に開示されている多機能レンズを備えたビデオカメラは、３モードの撮影（標準、近接、望遠）できるビデオカメラで、脱着可能な、アダプタがあり、検出手段の結果に基づいてビデオカメラ側の撮影準備を行なう制御手段を持ち、中間アダプタを介してレンズが装着されたのか、あるいはレンズが直接装着されたのかを、スイッチに連動する部材の押圧量と組合せにより判別して適切な制御を行うようにしている。すなわち、後レンズ系に対して着脱自在の前レンズとアダプタを適宜交換して、広角度撮影する広角モードと、焦点距離を２段階に任意に設定可能にする標準モードと、近接撮影する近接モードの少なくとも３モードに設定するとともに、各モードの検出を検出手段により行い、検出結果に基づいてビデオカメラ側の撮影準備を制御手段で行うようにしている。
【０００６】
この他、従来技術として、カメラ本体側がどんな撮像レンズ系が装着されているかを判断する手段に光学センサを用いて検出する方法が提案されているが、構成が複雑となり信頼性も劣った物となる。また、光学方式ではゴミや汚れにより、誤動作する事が知られている。
【０００７】
カメラ装置としては、カメラ本体にある通常撮影時に使用するレンズ部とは別の光学系が脱着可能になっているカメラ装置が実用に供されているが、この場合にも上述したと同様で、別の光学系の脱着にともない、その脱着情報（すなわち、別光学系が付加された事）をカメラに伝達して、別光学系が付加された光学系としてのカメラの制御を行う必要がある。
【０００８】
上記タイプのカメラにおいて、カメラに別光学系を取り付ける場合、別光学系が直接カメラ本体に取り付けるようにした場合、別光学系全体の形状が長くなり別光学系の汎用性がなくなるとの難点がある。すなわち、そのカメラにしか取り付かない構成になってしまい、別の種類のカメラに取り付ける事が出来なくなり、結果的には利用者にとって便利性に劣った物となってしまう。本発明には、カメラ本体にアダプタを介して別光学系を取り付け可能とすることにより上記不都合を解消するものを含む。なお、アダプタ方式にすると、アダプタにフードを取り付けたり出来るため利便性が増すとの優位性も持つ。
【０００９】
しかし、上記タイプのカメラにおいて、防水カメラ用途等の場合には外装が光学系全体を覆う必要があり、アダプタ方式にする必要が無くなりカメラ本体に直接に別光学系を脱着可能になっている方がカメラとしての強度が強くなり、構成的には単純になり信頼性が向上する。
【００１０】
なお、別光学系はレンズ系に装着するのが一般的であるが、その他の構成も採用される。例えば、特許文献２には、コンバータレンズを三脚穴に取り付けることを特徴としたコンバータレンズホルダとカメラが開示されている。
【００１１】
【特許文献１】特開平０６−０８６１３３号公報
【特許文献２】特開平１０−１４２６８７号公報
【発明の開示】
【発明が解決しようとする課題】
【００１２】
本発明では、上述した実状に鑑みて、カメラ本体側がどんな撮像レンズ系が装着されているかを認識できないと、カメラ機能の制御が適正にできないという不都合を解決するためのカメラ装置やアダプタの構成を新たに提案するとともに、特に従来のものより高信頼性のアダプタ等を得ることをその目的とする。
【課題を解決するための手段】
【００１３】
本発明のカメラ装置用のアダプタは、光学系部材を装着するためにカメラ本体が備えるカメラ側マウント部に装着可能なアダプタであって、先端側には、光学系部材が装着可能な先端側マウント部を有し、前記先端側マウント部に装着された光学系部材にカメラ側に突出形成された突出部の当該光学系部材の種類毎に固有の突出量を検出する検出手段を備え、前記カメラ側マウント部に接続される基端側マウント部には、前記検出された突出量に対応づけた信号を脱着情報として送出する送出手段と、を有することを特徴とする。
【００１４】
前記検出手段は、前記光学系部材の突出量に応じて変位するスライド板と、このスライド板の側面に対面して配設され変位するスライド板の変位量に応じて順に動作し前記脱着情報を生成する２つ以上のスイッチとを含み構成すると好ましい。更に、前記アダプタの内壁に中央部で軸支された長尺板状のレバーであって、一端が前記光学系部材の突出部先端に当接し、他端が前記スライド板に係合したレバーと、前記スライド板をアダプタ先端側に向けて付勢する付勢手段と、を付加して構成することができる。前記送出手段は、前記カメラ側マウント部に設けられる電気接点に対応させて、前記基端側マウント部に設けられ前記複数のスイッチに接続された電気接点とする形態が考えられる。
【００１５】
また、本発明のカメラ装置は、通常撮影時に使用するレンズ部とは別の光学系部材が更に装着可能なカメラ側マウント部を備えたカメラ装置であって、
前記カメラ側マウント部に装着された光学系部材にカメラ側に突出形成された突出部の当該光学系部材の種類毎に固有の突出量を検出する検出手段を有し、
前記検出された突出量に対応して決まる光学系部材の光学特性に応じた脱着情報に基づいてカメラ機能の制御を最適化することを特徴とする。
【００１６】
前記検出手段は、前記光学系部材の突出量に応じて変位するスライド板と、このスライド板の側面に対面して配設され変位するスライド板の変位量に応じて順に動作し前記脱着情報を生成する２つ以上のスイッチとを含み構成することができる。更には、カメラ装置に中央部で軸支された長尺板状のレバーであって、一端が前記光学系部材の突出部先端に当接し、他端が前記スライド板に係合したレバーと、前記スライド板をカメラ装置前方に向けて付勢する付勢手段とを付加した構成としても良い。
【００１７】
上述の各カメラ装置においては、カメラ本体側に伝達された前記別光学系部材の脱着情報を使用して、再生/撮影画面の表示中に、別光学系部材が装着されているか否かを表示するようにすると好適である。カメラ本体側に伝達された前記別光学系部材の脱着情報を、撮影画像のピント位置の補正情報として使用して、最適なピント画像にすることができる。また、脱着情報を、撮影画像の測距機能を作動させるか、作動させないかの判断基準情報として使用することができる。脱着情報を、自動露出制御情報として使用して、最適露出画像にすることもできる。脱着情報は、自動露出制御情報として使用して、最適露出画像にする脱着情報を、外付けファインダー装着時の視野範囲の設定情報として使用し、外付けファインダー使用時に適切な撮影視野範囲を指示することもできる。脱着情報を、ストロボ発光時の制御をするにあたり、最適発光制御情報として使用することもできる。また、脱着情報を、手ぶれ防止機能の制御をするにあたり使用することもできる。
【発明の効果】
【００１８】
本発明のアダプタにより、コンバータレンズ等の各種の光学系部材をカメラ本体に装着でき、カメラ側では光学系部材の光学特性に応じた脱着情報に基づいてカメラ機能の制御を最適化することができる。特に、検出手段に光学系部材の突出量に応じて変位するスライド板のスライド板の変位量に応じて脱着情報を生成するスイッチを用いたものは、単純な構成が単純で確実に光学系部材の種類を判別できる。
【発明を実施するための最良の形態】
【００１９】
〔第１実施形態〕
以下、本発明の実施の形態について、図面に従って説明する。図１は本発明の第１実施形態のカメラ装置の概略構成を示す斜視図である。この実施形態のカメラは、沈胴式のレンズ鏡胴（非撮影時にレンズ鏡筒が本体内に収納されるタイプ）を備えたコンパクトカメラである。図中符号１が示すのは、カメラ本体であり、カメラ本体１と一体に画情報を取り込むレンズ部２があり、そのレンズ鏡胴の周り（外周部）には本発明に係るアダプタ１２を取り付ける為のカメラ側マウント部１１が設けられている。符号１２は、カメラ側マウント部１１と係合して脱着可能なアダプタであり、レンズ鏡胴を覆うように取り付けられる。カメラ側マウント部１１にはアダプタ１２からの信号検出のためのアダプタ検出部３が設けてあり、アダプタ１２からの信号を受ける接点（接点Ａ：４、接点Ｂ：５、接点Ｃ：６）を有している。
【００２０】
カメラ本体１には、被写体までの距離を測る為の測距部７が開口しており、また、暗いときの撮影のためのフラッシュ部１０がある。その他、撮影のためのレリーズボタン９、カメラ本体１を起動するための電源ボタン８がある。
【００２１】
アダプタ１２の先端には光学系部材としてのワイドコンバータ１８やテレコンバータ２１が脱着可能になっている。周知のワイドコンバータ１８はカメラ本体１に付属してレンズ部２の画角よりも広い画角を得ることが出来、またテレコンバータ２１はカメラ本体１に付属してレンズ部２の画角よりも狭い画角を得ることが出来る。なお、アダプタ１２の先端には別のフードや付属品を直接取り付ける事も出来る。
【００２２】
図２に本実施形態におけるアダプタ１２の断面図をカメラ本体１に取り付けた状態で示す。カメラ本体１のカメラ側マウント部１１に概略円筒状のアダプタ１２が取り付けられている。図３に、アダプタ１２を背面側より見た斜視図を示す。アダプタ１２の背面側（カメラ本体側）の端面は、基端側マウント部１２ａになっている。アダプタ１２の背面側端部内周の３箇所には、カメラ側マウント部１１と係合する係止爪１２ｂが形成してある。基端側マウント部１２ａ（端面）には、カメラ本体側と信号をやり取りする接点a：１３、接点ｂ：１４、接点ｃ：１５が配置されており、カメラ本体１のアダプタ検出部３における前述した接点Ａ：４、接点Ｂ：５、接点Ｃ：６とそれぞれ係合してカメラ本体１内の図示しない制御回路と信号のやり取りを行う。
【００２３】
アダプタ１２の先端側端部内周にはネジ部１６がありワイドコンバータ１８、テレコンバータ２１等の光学系部材を取り付ける事が出来る。アダプタ１２には検出機構部１７が形成してあり、先端のネジ部１６に何が取り付けられたかを検出する。検出機構部１７には検出結果を脱着情報として出力するための接点a：１３，１３、接点ｂ：１４，１４、接点ｃ：１５，１５がありカメラ本体１との信号のやり取りを行う。
【００２４】
図４に本実施形態における、ワイドコンバータ１８を装着した状態でのアダプタ１２の断面を示す。アダプタ１２の先端部（先端側マウント部）１２ｃにワイドコンバータ１８が雄ネジ部１６´により取り付けられている。ワイドコンバータ１８には雄ネジ部１６´の先端部分に突出部（凸部）１９が形成されており、寸法Ａ：Ｌ１の値だけ（先端側）マウント面：ＭＳよりもカメラ側（図では右方）に凸状に突出した円環状の突出部１９になっている。突出部１９の先端面と検出機構部１７（の先端部）が係合することにより生じる検出機構部１７の変化を介してカメラ本体１はワイドコンバータ１８が取り付けられたことを認識できる。なお、検出機構部１７の構成（図６から図８参照）と検出・認識過程の詳細は、後に説明する。
【００２５】
図５に本実施形態における、テレコンバータ２１を装着した状態でのアダプタ１２の断面を示す。アダプタ１２の先端にテレコンバータ２１が雄ネジ部１６´により取り付けられている。テレコンバータ２１にはネジ部１６の先端部分に突出部２２が形成されており寸法Ｂ：Ｌ２の値だけマウント面よりもカメラ側（図では右方）に凸状に突出した円環状の突出部２２になっている。寸法Ｂ：Ｌ２の値だけマウント面ＭＳよりもカメラ側（図では右方）に凸状に突出した円環状の突出部２２になっている。寸法Ｂ：Ｌ２は図４のワイドコンバータでの寸法Ａ：Ｌ１よりも大きな値に設定されており、その値の差により検出部１１ではネジ部１６に何が取り付いたか（どんな種類の光学系部材が取り付けられたか）を検出できる。突出部２２と検出機構部１７が係合することにより、検出機構部１７の変化を介してカメラ本体１はテレコンバータ２１が取り付いたことを認識できる。
【００２６】
検出機構部１７の構成を図６から図８に沿って説明する。図６は、本発明に係るコンバータ未装着状態における検出機構部１７を説明する要部拡大図である。アダプタ１２の内壁にアダプタ種の検出手段としての検出機構部１７が配設されている。アダプタ１２には回転軸２６が形成されておりその回転軸２６に回転可能に板状のレバー２４が軸支されている（矢印Ｒ参照）。レバー２４の先端には、ワイドコンバータ１８、テレコンバータ２１と当接係合する当接端となる曲げ部２５が形成してある。レバー２４の他端は、長尺略板状のスライド（板）２８と係合する。
【００２７】
図６の状態ではコンバータが未装着のために曲げ部２５はフリーな状態である。レバー２４の後端部位には駆動軸２７が形成されており、この駆動軸２７とスライド２８に形成された長孔状の溝孔３５とが係合する。筒軸方向に延在配置された板状のスライド２８は、アダプタ１２に筒軸方向に離間して設けられた２本の支軸２９，２９にスライド２８に設けられた二ヶ所の穴３０，３０が遊嵌状態で係合させることによって長手方向（図において左右方向、矢印Ｆ参照）に移動可能に支持されている。
【００２８】
概略長尺板状のスライド２８は、その長手方向に沿って基端側（カメラ側）に向けて斜辺部（２８ｂ，２８ｄ）で段階的に拡幅した形状に形成されている。すなわち、スライド２８の両側端面は、それぞれに先端側の細幅部に対応した谷部（２８ａ，２８ｃ）から斜辺部（２８ｂ，２８ｄ）の傾斜面を経て側方に拡幅して幅広部に対応した山部（３６，３７）へと連続している。対向する側端面では夫々斜辺部の位置が異ならせてある（図６の上側の側端面の斜辺部２８ｂは、下側の側端面の斜辺部２８ｄよりも先端側位置に形成されている）。
【００２９】
さらにスライド２８の先端寄り側端部分には側方に突出してフック部３４が設けられており、アダプタ１２の係止部（図示なし）との間に付勢手段としてのコイルスプリング３３が張設されている。このことによりスライド２８は常に図において右方向に付勢されている。検出機構部１７にはＳＷ１：３１、ＳＷ２：３２がスライド２８の両側端面と個々に係合する形で各１つずつ所定の位置で対向して配置されている。板状のスライド２８は図右方が斜辺部を経て幅広になっているため、ＳＷ１：３１、ＳＷ２：３２は、スライド２８の左右方向の移動に応じて、適宜ＯＮ・ＯＦＦされることになる。図６のようにコンバータ未装着の状態では、スライド２８は付勢されて先端寄りに位置しており、ＳＷ１：３１、ＳＷ２：３２はＯＦＦになっている。
【００３０】
次に、図７にワイドコンバータ１８が装着された状態の検出機構部１７を要部拡大図で示す。ワイドコンバータ１８が装着された事によりマウント面より寸法Ａ：Ｌ１だけ突出部１９がカメラ本体側に突出して、先端が曲げ部２５と当接し係合状態となることにより、レバー２４は回転軸２６を中心に時計回り方向に回転させられる、それに伴い駆動軸２７は図において左方向に回転させられ、駆動軸２７が左方向に移動する事により、幅方向向きの溝（長穴）３５で係合しているスライド２８も溝３５と一体で左方向に移動していく。ここでスライド２８には山部Ａ：３６が形成されており移動につれて山部Ａ：３６がＳＷ１：３１の可動片先端と係合し押圧することによりＳＷ１：３１はＯＮになる。この時ＳＷ２：３２の可動片先端と山部Ｂ：３７とは係合していないのでＳＷ２：３２はＯＮにはなっていない。この状態すなわちワイドコンバータ１８が装着された状態では、ＳＷ１：３１はＯＮ、ＳＷ２：３２はＯＦＦの信号がカメラ本体１に脱着情報として送られている。なお、一般的にカメラ本体に合わせてワイドコンバータ１８に設ける雄ネジ部１６´の長さを、他のテレコンバータ等と共通とするので、この場合は突出部の突出量は、雄ネジ部１６´の先端位置から突出部の先端までの寸法Ｌ１´で規定しても良い。
【００３１】
図８にテレコンバータ２１を装着した状態の検出機構部１７を要部拡大図で示す。テレコンバータ２１が装着された事により寸法Ｂ：Ｌ２だけ突出部２２がカメラ本体側に突出して、先端が曲げ部２５と当接し係合状態となることにより、レバー２４は回転軸２６を中心に時計回り方向に回転させられる、それに伴い駆動軸２７は図において左方向に回転させられ、駆動軸２７が左方向に移動する事により、溝３５従ってスライド２８も左方向に移動していく。ここでスライド２８には山部Ａ：３６が形成されており、上記移動にともない山部Ａ：３６がＳＷ１：３１の可動片先端と係合し押圧することによりＳＷ１：３１はＯＮになる。また、山部Ｂ：３７がＳＷ２：３２の可動片先端と係合し押圧することによりＳＷ２：３２もＯＮになる。こうして、ＳＷ１：３１、ＳＷ２：３２のどちらともＯＮの状態になっている。この状態すなわちテレコンバータ２１が装着された状態では、ＳＷ１：３１はＯＮ、ＳＷ２：３２もＯＮの信号が脱着情報としてカメラ本体１に送られている。Ｌ２´は、雄ネジ部１６´の先端位置から突出部の先端までの寸法を示す。
カメラ本体１へのコンバータの取り付け有無と各コンバータの種類とに対応したＳＷ１：３１、ＳＷ２：３２の開閉状態（すなわち、脱着情報）の関係を下記〔表１〕に示す。
【００３２】
【表１】
2007079362.tif 000003
【００３３】
コンバータを装着していない状態では、ＳＷ１：３１、ＳＷ２：３２は共にＯＦＦ状態である。次にワイドコンバータ１８装着時にはＳＷ１：３１はＯＮ、ＳＷ２：３２はＯＦＦの状態である。次にテレコンバータ２１装着時にはＳＷ１：３１、ＳＷ２：３２共にＯＮの状態である。この状態が制御用信号（脱着情報）としてカメラ本体に送られ（カメラ本体の制御部に依って読み出され）、これによってカメラ本体１はアダプタ１２に何が装着されているのかを認識することができる。
【００３４】
カメラ本体側では、光学系部材毎の光学特性が記憶されており、実際に装着されている光学系部材毎の光学特性を反映させてカメラ機能の制御を最適化する。続いて、カメラ本体での具体的な最適化制御のいくつかの実施例について説明する。
【００３５】
〔実施例１〕カメラ本体１のレンズ２に、別光学系を付加すると、それらの全体の光学系では、ピント位置がカメラ本体１のレンズ２単独に比べて異なる場合がある。従って、アダプタ１２に装着されたコンバータ等の有無、種類によりカメラ本体１はレンズ部２が結像するピント位置の補正が必要となる。そこで、カメラ本体１は、別光学系を付加した場合のピント位置の補正値を事前に把握しておく事により、アダプタ１２に装着された各コンバータ等に対応したピント位置の補正を行い、ピント補正された最適なピント画像にする事が出来る。
【００３６】
〔実施例２〕カメラ本体１には被写体の距離測定のための測距部７があり、ワイドコンバータ１８やテレコンバータ２１を装着した時に測距部７が覆われて配光角をさえぎられる事により機能できなくなる場合がある。その様な状態で測距すると間違った距離情報が得られて、ピントの合わない撮影画像となる不具合が発生する。その事を防ぐためにはワイドコンバータ１８や(テレコンバータ２１を装着した時に測距機能を働かせなくする必要がある。もし働かせると適正な制御は行われずピンボケ写真が撮影される事になる。そこで、カメラ本体１は、アダプタ１２に装着された各コンバータの種類に応じて、強制的に測距機能を働かせなくすよう制御する。測距機能を働かせない場合は、ＣＣＤの画像によりピントを合わせ行うようにすれば良い。
【００３７】
〔実施例３〕カメラ本体１に外付けファインダーを装着する場合にも、本発明の制御が有効である。ワイドコンバータ１８やテレコンバータ２１を装着した時に外付けファインダーで見える画角を適正に変える必要が出てくる。外付けファインダー自体にはカメラ本体１の画角がどの様になっているかは判断できない。そこで、別光学系の脱着情報をカメラに伝達して、外付けファインダー装着時の視野範囲の設定情報として使用し、外付けファインダーで最適視野範囲になるように使用する必要がある。そこで、カメラ本体１は、各コンバータが取り付けられたのを認識してアダプタ１２に装着された各コンバータの種類に応じて、外付けファインダーの撮影範囲（視野範囲）を変化させる事により画角を適切に変化させる制御を行う。最適制御のためのパラメータは各コンバータの種類に対応付けてカメラ本体側に保持しておく。
【００３８】
例えば、別光学系を付けて全体光学系で広角になっている状態では、外付けファインダーの広い視野枠線が操作者に見えるように設定する。また、別光学系を付けて全体光学系で望遠になっている状態では、外付けファインダーの狭い視野枠線が操作者に見えるように設定する事により、外付けファインダーが適正な視野を確保できる。
【００３９】
〔実施例４〕カメラ本体のレンズ単独に比べて各コンバータのレンズの装着により全体の光学系で明るさが大きく異なる場合、コンバータの有無及び種類によりカメラ本体１のＡＥ制御を最適化する必要が出てくる。そこで、カメラ本体１は、各コンバータが取り付けられたか否かを認識し、アダプタ１２に装着された各コンバータの有無或いは得られたコンバータ種類応じてその差異を修正して、最適なＡＥ制御を最適化し最適露出画像が得られるようにする。
【００４０】
〔実施例５〕別光学系を付加する事により、レンズの明るさが異なる事により、適切なストロボ発光量も異なってくる。また、別光学系を付加する事により、撮影画角も異なる事により、ストロボ発光の配光角も最適に合わして変化させた方が望ましい。よって、別光学系の脱着情報をカメラに伝達して、ストロボ発光時の制御を最適発光になるように最適化する。
【００４１】
〔実施例６〕別光学系の脱着情報をカメラに伝達して、手ぶれ防止機能の制御をするにあたり、最適制御になるように使用すると好ましい。カメラにおける手ぶれ防止制御は、望遠系の画角においては手ぶれの影響が顕著に現れる。それに対して、広角系の画角においては手ぶれの影響が少ない。手ぶれ防止機能を使用すると消費電流が大きくなり、広角系の手ぶれの影響が少ない場合必要以上に手ぶれ機能を動作させる事は利点が少ない。この事より、別光学系の脱着情報をカメラに伝達して、手ぶれ制御を最適制御にすることは非常に有益である。
【００４２】
〔実施例７〕上述した脱着情報は、カメラ機能制御の最適化以外にも用いることができる。例えば、コンバータの有無により、表示部に別光学系が装着したか否か、また、どんなコンバータが装着されているかを表示することで、操作者に情報を与える事が出来、使い勝手が向上する。操作者が一番状態を把握しやすい再生/撮影画面の表示中に表示する事により操作しやすいカメラとなる。
【００４３】
〔第２実施形態〕
上述の第１実施形態では、沈胴式のレンズ鏡胴を備えたコンパクトカメラに本発明のアダプタを介して光学系部材を装着しているが、アダプタを介さずカメラ本体に直接に光学系部材を装着する構成とすることができる。図示は省略するが、この場合の本発明のカメラ装置（カメラ本体）は、光学系部材をカメラに直接取り付け可能に構成されたカメラ側マウント部の近傍に、第１実施形態で説明したアダプタにおける光学系部材検出機構と同等の機構を備えている。すなわち、図６〜図８に示されているのと同等の機構がカメラ本体内に組み込まれ、装着された光学系部材の種類毎に固有の突出量を検出手段で検出し、当該光学系部材の種類毎に固有の光学特性に対応して各種カメラ機能制御が最適化される。コンバータレンズ等の光学系部材は、沈胴式のレンズ鏡胴の先端に取り付けるのではなく、レンズ鏡胴の外周部に設けたカメラ側マウント部に、当該レンズ鏡胴を覆うように取り付ける。
【図面の簡単な説明】
【００４４】
【図１】本発明の第１実施形態のカメラ装置の概略構成を示す斜視図である。
【図２】本発明の実施形態におけるアダプタの断面図である。
【図３】本発明の実施形態におけるアダプタを背面側より見た斜視図である。
【図４】本発明に係るワイドコンバータ装着状態のアダプタの断面図である。
【図５】本発明に係るテレコンバータ装着状態のアダプタの断面図である。
【図６】コンバータ未装着状態における検出部を説明する要部拡大図である。
【図７】ワイドコンバータ装着状態における検出部を説明する要部拡大図である。
【図８】テレコンバータ装着状態における検出部を説明する要部拡大図である。
【符号の説明】
【００４５】
１…カメラ本体
２…レンズ部
３…アダプタ検出部
４…接点Ａ
５…接点Ｂ
６…接点Ｃ
７…測距部
８…電源ボタン
９…レリーズボタン
１０…フラッシュ部
１１…カメラ側マウント部
１２…アダプタ
１２ａ…基端側マウント部
１２ｂ…係止爪
１３…接点a
１４…接点ｂ
１５…接点ｃ
１６…ネジ部
１６´…雄ネジ部
１７…検出機構部
１８…ワイドコンバータ
１９…（ワイドコンバータ側）突出部
Ｌ１…寸法Ａ（突出部１９の突出量）
２１…テレコンバータ
２２…（テレコンバータ側）突出部
Ｌ２…寸法Ｂ（突出部２２の突出量）
２４…レバー
２５…曲げ部
２６…回転軸
２７…駆動軸
２８…スライド（板）
２９…２本支軸
３０…（スライド板部）穴
３１…ＳＷ１
３２…ＳＷ２
３３…スプリング
３４…フック部
３５…溝（長穴）
３６…山部Ａ
３７…山部Ｂ
ＭＳ…マウント面
【図１】
2007079362.tif 000004
【図２】
2007079362.tif 000005
【図３】
2007079362.tif 000006
【図４】
2007079362.tif 000007
【図５】
2007079362.tif 000008
【図６】
2007079362.tif 000009
【図７】
2007079362.tif 000010
【図８】
2007079362.tif 000011